(57)【要約】【課題】本発明は汚染除去緑化壁の製造に適用される。【解決手段】緑化壁は、並設され及び／又は重ねて置かれた略角柱状の箱（1）から構成される構造体を備えている。各箱は、金網又はチェーンリンク面（6〜10）を支持するフレーム（2）を有する。箱には、植物が少なくとも該箱の前面（6）で成長するための植栽基材が充填されている。エアポンプ手段（14）に接続された空気分配配管網（12）は、箱（1）の厚さ方向へ、ひいては、植栽基材の内部に空気を供給する。配管網は、各箱（1）の内部で鉛直に配置されて、強制給気管（13）に接続され、空気拡散窓又はグリル（18）を備える空気分配プレナム（15）を有する。【選択図】図１
2014502842.tif 000002
【特許請求の範囲】
【請求項１】
内部空気循環を有する緑化壁であって、
並設され及び／又は重ねて置かれた略角柱状の箱（1）から構成される構造体を備え、
各箱（1）は、特に前面の金網又はチェーンリンク面（6）を含む金網又はチェーンリンク面（6〜10）を支持するフレーム（2）を有し、
上記箱（1）には、植物（11）が少なくとも該箱の上記前面（6）で成長するための植栽基材が充填されるように設けられ、
エアポンプ手段（14）に接続され、上記並設され及び／又は重ねて置かれた複数の箱（1）の厚さ方向へ上記植栽基材の内部に空気を送る、汚染低減作用のための空気分配配管網（12）を備え、
上記空気分配配管網（12）は、各箱（1）の内部で鉛直に配置されて、強制給気管（13）に接続された空気分配プレナム（15）を有し、
上記プレナム（15）は、２つの主面（16，17）のうちの少なくとも１つに空気拡散窓又はグリル（18）を有することを特徴とする緑化壁。
【請求項２】
請求項１に記載された緑化壁において、
箱（1）に関連した各空気分配プレナム（15）は、該箱（1）の上記フレーム（2）に鉛直に固定されていることを特徴とする緑化壁。
【請求項３】
植物（11）が上記箱（1）の上記前面（6）にのみ植栽された請求項１又は２に記載された緑化壁において、
各空気分配プレナム（15）は、対応する上記箱（1）の後面（7）に鉛直に配置され、
上記プレナム（15）は、隙間のない後面（17）と、空気拡散窓又はグリル（18）のある前面（16）とを含むことを特徴とする緑化壁。
【請求項４】
植物（11）が上記箱（1）の上記前面（6）及び後面（7）に植栽された請求項１又は２に記載された緑化壁において、
各空気分配プレナム（15）は、対応する上記箱（1）の厚さ方向中間であって上記箱の上記前面（6）及び上記後面（7）から等距離の位置において鉛直に配置され、
上記プレナム（15）は、空気拡散窓又はグリル（18）のある前面（16）と、空気拡散窓又はグリルのある後面（17）とを含むことを特徴とする緑化壁。
【請求項５】
請求項１から４のいずれか１つに記載された緑化壁において、
上記空気拡散窓又はグリル（18）は、多孔質膜を有し、該多孔質膜を通して空気が上記植栽基材の方へ拡散することを特徴とする緑化壁。
【請求項６】
請求項１から５のいずれか１つに記載された緑化壁において、
上記空気分配プレナム（15）の上記前面（16）のみ、又は上記前面（16）及び上記後面（17）は、上記空気拡散窓又はグリル（18）の周囲に隙間のない周辺領域（19）を含むことを特徴とする緑化壁。
【請求項７】
請求項６に記載された緑化壁において、
上記隙間のない周辺領域（19）のうち上記空気拡散窓又はグリル（18）の上方の部分の高さ（H）は、上記周辺領域（19）の上記空気拡散窓又はグリル（18）の下方の部分の高さ（h）よりも大きいことを特徴とする緑化壁。
【請求項８】
請求項１から７のいずれか１つに記載された内部空気循環を有する緑化壁のための空気分配プレナムであって、
周辺に強制吸気管（13）に接続するための接続具（20）を含む、正方形状又は長方形状の外形を有する扁平な箱の形状であり、
２つの主面（16，17）のうちの少なくとも１つは、空気拡散窓又はグリル（18）を含むことを特徴とする空気分配プレナム。
【発明の詳細な説明】
【技術分野】
【０００１】
本発明は、概して緑化壁の技術分野に関する。さらに明確には、内部空気循環を有する緑化壁に関する。
【背景技術】
【０００２】
緑化壁構造体として、並設され及び／又は重ねて置かれ得る、概して角柱形状の箱から構成されたものが知られている。このような構造体の各箱は、金網又はチェーンリンク面、特に前面及び後面の金網又はチェーンリンク面を支持するフレームを有する。この箱は鉢植え用の土などの植栽基材で充填されており、隣接する箱の間の面が開放された形態の場合、植栽基材は途切れることなく緑化壁構造体の内部に広がることができる。この例は、本出願人名義の仏国特許ＦＲ２８７２３８１号、及びこれに対応する欧州特許ＥＰ１７７１０６２号を含む。
【０００３】
これらの文書で記述された実施形態では、給水管の配管網及び空気管の配管網が設けられ、これらの配管網は、並設され及び／又は重ねて置かれた個々の箱の厚さ方向に箱に充填された植栽基材の内部へ広がっており、隣接する箱の間の水平及び／又は垂直の連結面を通過している。箱の上面、下面、及び側面は孔が空いているので、空気及び水の配管網は、１つの箱から隣接する箱へ自由に通過することができる。このとき、穴を開けたり特殊な接続具を取り付けたりする必要がないため、緑化壁構造体の製造や設置が容易になる。
【発明の概要】
【発明が解決しようとする課題】
【０００４】
空気配管網によって、外部又は内部の汚染された空気をポンプにより強制的に循環させ、空気を植栽基材に接触させて、生物濾過（biofilter）原理を用いた細菌作用（bacterial action）を加えたフィルタ効果によって浄化することが可能になる。しかし、このような作用は、浄化される空気が植栽基材中を最適に拡散することを前提としたときに得られる。さらに、エネルギー収支を有利に保つために、植栽基材中の空気の拡散は最小限のエネルギー消費でなされなければならない。
【０００５】
現行の実施形態では、空気管に備えられた穿孔によって植栽基材中に空気を拡散している。この解決方法は、確かに単純であるが、箱全体の中に空気を適切に分配できない。したがって、基材の一部は汚染した空気で飽和し、一方で箱の容積には空気が実質的に届かない領域が残る。空気を適切に分配できないと、空気を効果的に浄化できない。
【０００６】
さらに、強制的に送られた空気を空気管に形成された穿孔を通じて分配させるには、比較的大きな力が必要となり、そのため、非常に大きなエネルギー量を消費する大きなポンプが必要となる。このようなポンプは、高い圧力を供給するため、植栽基材中の空気の滞留時間を最適化できない。穿孔の通過断面積を増大させることは、空気グリッド内に基材が侵入して空気管の目詰まりを起こす恐れがあり、これにより望む結果と逆になる可能性があるため、適切な解決策にはならない。
【０００７】
本発明は、ここで考える種類の緑化壁において、前述した欠点を解決し、エネルギー出力を向上させつつ空気の浄化を改善する、より高い性能の内部空気拡散システム、特に、箱の中、即ち植栽基材の中で空気を均一に分配するシステムを提供することを目的とする。
【課題を解決するための手段】
【０００８】
上記の目的のため、本発明は、内部空気循環を有する緑化壁であって、並設され及び／又は重ねて置かれた略角柱状の箱から構成される構造体を備え、各箱は、特に前面の金網又はチェーンリンク面を含む金網又はチェーンリンク面を支持するフレームを有し、上記箱には、植物が少なくとも該箱の上記前面で成長するための植栽基材が充填されるように設けられ、エアポンプ手段に接続され、上記並設され及び／又は重ねて置かれた複数の箱の厚さ方向へ上記植栽基材の内部に空気を送る、汚染低減作用のための空気分配配管網（air distribution grid）を備え、上記空気分配配管網は、各箱の内部に鉛直に配置されて、強制給気管に接続された空気分配プレナムを有し、上記プレナムは、２つの主面のうちの少なくとも１つに空気拡散窓又はグリルを有することを特徴とする緑化壁に関する。
【０００９】
このように、本発明は、穿孔の空いた空気分配管をプレナムに置き換えることを提供する。これにより、緑化壁の各箱の中へ、ひいては、該箱を満たす植栽基材の中へ空気が分配され、均一に拡散することが可能になる。広い断面積の窓又はグリルを通って空気が分配されることにより、比較的遅い空気拡散がさらに可能となり、より効果的な汚染浄化作用のために基材内の空気の滞留時間を最適化できる。さらに、ポンプの作動に必要なエネルギー消費の観点から節約もできる。上記空気拡散窓又はグリルは、多孔質膜を有し、該多孔質膜を通して空気が上記植栽基材の方へ拡散するようにしてもよい。これにより、プレナムの内部に基材が不要に入ってしまうことを防ぎながら、空気の循環をさらに遅くできる。
【００１０】
有利には、箱に関連した各空気分配プレナムは、該箱の上記フレームに鉛直に固定されている。これにより、基材が無いときでも、正確に位置調整し、その場所を維持することが確実になる。空気拡散グリルは、プレナムの堅さ及び組み立てに貢献する。
【００１１】
植物が上記箱の上記前面にのみ植栽された緑化壁の場合、有利には、各空気分配プレナムは、対応する上記箱の後面に鉛直に配置され、上記プレナムは、隙間のない後面と、空気拡散窓又はグリルのある前面とを含む。
【００１２】
植物が上記箱の上記前面及び後面に植栽された緑化壁の場合には、逆に、各空気分配プレナムは、対応する上記箱の厚さ方向中間であって上記箱の上記前面及び上記後面から等距離の位置において鉛直に配置され、上記プレナムは、空気拡散窓又はグリルのある前面と、空気拡散窓又はグリルのある後面とを含むようにしてもよい。
【００１３】
本発明の一実施形態では、場合に応じて、上記空気分配プレナムの上記前面のみ、又は上記前面及び上記後面は、上記空気拡散窓又はグリルの周囲に隙間のない周辺領域を含む。この領域は、堅くても、多少柔らかくてもよい。
【００１４】
最も単純な設計では、隙間のない周辺領域は、空気拡散窓又はグリルの全周において一定の幅を有し、それにより、上記窓又はグリルがプレナムの中央に配置され、ひいては、箱の中央にも配置される。
【００１５】
しかし、植栽基材が箱の内部で沈下することを予測すると、上記隙間のない周辺領域のうち上記空気拡散窓又はグリルの上方の部分の高さは、上記周辺領域の上記空気拡散窓又はグリルの下方の部分の高さよりも大きいことが有利である。これにより、基材が沈下するにも拘わらず、窓又はグリルは基材に対して中央にとどまる。したがって、時間が経っても基材中での空気の均一な拡散が保証される。
【００１６】
本発明は、内部空気循環を有する緑化壁のための空気分配プレナムであって、周辺に強制吸気管に接続するための接続具を含む、正方形状又は長方形状の外形を有する扁平な箱の形状であり、２つの主面のうちの少なくとも１つは、空気拡散窓又はグリルを含む空気分配プレナムにも関する。
【図面の簡単な説明】
【００１７】
【図１】図１は、空気分配配管網、特にプレナム、ここでは単独のグリルを有する緑化壁の箱の前面斜視図を示す。
【図２】図２は、図１の箱の後面斜視図を示す。
【図３】図３は、プレナムの前面を示す、図１及び２に対応する前面図である。
【図４】図４は、プレナムの後面を示す、図１及び２に対応する後面図である。
【図５】図５は、上記の図に対応する上面図である。
【図６】図６は、上記の図に対応する側面図である。
【図７】図７は、空気分配配管網、特にプレナム、ここでは２つのグリルを有する緑化壁の箱の前面斜視図を示す。
【図８】図８は、図７の箱の後面斜視図を示す。
【図９】図９は、プレナムの前面を示す、図７及び８に対応する前面図である。
【図１０】図１０は、プレナムの後面を示す、図７及び８に対応する後面図である。
【図１１】図１１は、上記の図に対応する上面図である。
【図１２】図１２は、上記の図に対応する側面図である。
【発明を実施するための形態】
【００１８】
本発明は、添付の図面が例として示している、空気分配プレナム及びそれを用いた緑化壁のいくつかの実施形態を参照し、下記の記述を用いて、より理解されるだろう。
【００１９】
図１〜６は、概して直方体形状の、緑化壁の構造体を構成する箱１を示す。箱１は、前面６、後面７、上面８、下面９及び２つの側面１０の範囲を定める、垂直材３、梁４及び桟５から形成されるフレーム２を有する。箱１の各面６〜１０は金網面であってもよい。すなわち、金網面は、金属線で形成された金網又はチェーンリンクを含む。特に、箱１の前面６は、水平の金属線及び織り合わされた鉛直の金属線から形成された金網を有し得る。この箱１の前面６は、金網を形成する水平及び鉛直の金属線を支持する、取り外し可能な長方形のフレームを含み得る。
【００２０】
箱１は、同様の箱と併設され及び／又は重ねて置かれ、完全な緑化壁構造体を構成する。このように連結された全ての箱１には植栽基材が充填され、この上で植物１１が少なくとも箱の前面６に現れるように成長する（図６参照）。
【００２１】
緑化壁は、吸気管１３及び強制的に空気を送るポンプ１４を備える、空気分配配管網１２を含む。吸気管１３は、個々の箱１へ延び、箱１の内部に配置された分配プレナム１５に至る。
【００２２】
各空気分配プレナム１５はここでは、前面１６及び後面１７を備える、正方形又は長方形の輪郭を有する薄い箱の形状をとる。
【００２３】
プレナム１５の前面１６は、正方形又は長方形の空気拡散グリル１８を含む。グリル１８は、隙間のない周辺領域１９によって囲まれている。プレナム１５の後面１７は、ここでは完全に隙間のない面である。
【００２４】
プレナム１５は、空気拡散グリル１８が箱１を充填する植栽基材の方を向くように、箱１の中で立った状態で箱１の後面７に搭載され、フレーム２に固定されている。プレナム１５の周辺、例えば該プレナムの上端は、接続具２０によって吸気管１３に接続されている。
【００２５】
使用中、ポンプ１４によって強制的に送られた空気は、吸気管１３によって各プレナム１５の内部に送られ、グリル１８を通って植栽基材の方へ均一に分配されて拡散する。空気が基材を通過することにより、生物濾過効果によって空気の汚染が確実に低減される。空気拡散グリル１８は、プレナム１５の内部に基材が入ってしまうことを防ぐために、空気が植栽基材の方へ拡散するときに通る多孔質膜（図示せず）を含んでもよい。
【００２６】
図３に示すように、プレナム１５の前面１６の隙間のない周辺領域１９は、その上方の一片、即ち、グリル１８の上方において、下方の一片、即ち、グリル１８の下方における高さｈよりも高い高さＨを有している。このように、箱１の内部の植栽基材が沈下することが予測されるので、グリル１８は中心よりも下方に偏っている。
【００２７】
図面に示すように、前述した構造体によって支持された太陽電池パネル２１は、吸気管１３及び複数のプレナム１５を有する分配配管網１２の中で空気を循環させるポンプ１４の作動に必要な電気を供給できる。
【００２８】
図７〜１２は、別の実施形態を示す。この実施形態は、複数の箱１の前面６及び後面７の両面に、植物１１が植栽され成長する緑化壁に適用されている。
【００２９】
この場合には、各空気分配プレナム１５は、立った状態で箱１の厚さ方向中央に配置され、フレーム２に固定されている。該プレナム１５は、前述同様にポンプ１４によって強制的に空気が送られる吸気管１３に接続される。
【００３０】
プレナム１５は、第１のグリル１８をその前面１６に有し、同様の第２のグリル１８をその後面１７に有している。したがって、空気はプレナム１５からプレナムの前に位置する植栽基材の方へ拡散すると同時に、プレナムの後ろに位置する植栽基材の方へも拡散する。
【００３１】
下記を変更することは、添付の特許請求の範囲で定義された本発明の範囲を越えない。
【００３２】
−分配プレナムの構成材料。多少堅くても、又は、逆に柔らかくてもよい。
【００３３】
−箱の中の空気分配プレナムの個数。プレナムは単独又は複数であり得る。
【００３４】
−空気分配グリッド、特に管又は他の吸気管の構成。特に箱の厚み方向に通過してもよいし、該箱の外部を通過してもよい。
【００３５】
外部装飾品、灌漑網、照明など、上記箱に追加の発展を提供することもできる。
【図１】
2014502842.tif 000003
【図２】
2014502842.tif 000004
【図３】
2014502842.tif 000005
【図４】
2014502842.tif 000006
【図５】
2014502842.tif 000007
【図６】
2014502842.tif 000008
【図７】
2014502842.tif 000009
【図８】
2014502842.tif 000010
【図９】
2014502842.tif 000011
【図１０】
2014502842.tif 000012
【図１１】
2014502842.tif 000013
【図１２】
2014502842.tif 000014
【国際調査報告】
2014502842.tif 000015
2014502842.tif 000016
2014502842.tif 000017
2014502842.tif 000018